(57)【要約】【課題】回転検出部を保持する保持体に撓みが生じることを低減する。【解決手段】渦電流式計器装置１は、磁石１３の下側に位置し、回転する磁石１３からの磁気作用に基づいて、磁石１３の回転を検出するリードスイッチ２１と、枠体１１に取り付けられ、リードスイッチ２１を保持する保持体２２と、を備える。保持体２２の一端部には、第１壁部１１１に固定される部分である固定部２２１が形成され、他端部には、第２壁部１１２に係合する部分である係合部２２２が形成されている。係合部２２２が第２壁部１１２と係合し、且つ、固定部２２１が第１壁部１１１にねじ２５で螺着され固定されていることによって、保持体２２は、枠体１１に取り付けられている。【選択図】図１
2014025883.tif 000002
【特許請求の範囲】
【請求項１】
第１の軸線を中心に回転する磁石と、
前記磁石の上側に位置し、前記磁石の回転により発生する渦電流作用によって回転する誘導体と、
前記磁石と前記誘導体とを収納する枠体と、を備え、
前記誘導体と共に回転する指針と、前記指針に指示される指標との対比によって所定の計測量を報知する渦電流式計器装置であって、
前記磁石の下側に位置し、回転する前記磁石からの磁気作用に基づいて、前記磁石の回転を検出する回転検出部と、
前記枠体に取り付けられ、前記回転検出部を保持する保持体と、を備え、
前記枠体は、所定の間隔を空けて互いの主面が向かい合い、共に前記第１の軸線の方向に延びる第１壁部及び第２壁部を有し、前記第１壁部と前記第２壁部との間に、前記磁石と前記誘導体とを収納し、
前記保持体は、前記所定の間隔の方向に延びる第２の軸線に沿って延びており、前記第２の軸線方向における一端部には、前記第１壁部に固定される部分である固定部が形成され、前記第２の軸線方向における他端部には、前記第２壁部に係合する部分である係合部が形成され、
前記係合部が前記第２壁部と係合し、且つ、前記固定部が前記第１壁部にねじで螺着され固定されていることによって、前記保持体は、前記枠体に取り付けられており、
前記係合部と前記第２壁部とは、前記係合部が突起部であり、この突起部が挿入される孔部が前記第２壁部に設けられていることにより係合している、又は、前記係合部が孔部であり、この孔部に挿入される突起部が前記第２壁部に設けられていることにより係合している、
ことを特徴とする渦電流式計器装置。
【請求項２】
前記固定部は、前記第１壁部の主面であって前記第２壁部と対向する面とは、反対側の面に固定されている、
ことを特徴とする請求項１に記載の渦電流式計器装置。
【請求項３】
前記枠体は、前記第１壁部と前記第２壁部とを連結し、前記磁石の下側に位置する底部を有し、
前記保持体は、前記底部の上面に支持される被支持部を有する、
ことを特徴とする請求項１又は２に記載の渦電流式計器装置。
【発明の詳細な説明】
【技術分野】
【０００１】
本発明は、渦電流式計器装置に関する。
【背景技術】
【０００２】
従来の渦電流式計器装置として、例えば、特許文献１に開示されているものがある。この渦電流式計器装置は、回転軸と共に回転する磁石と、磁石の回転により発生する渦電流作用によって回転する誘導体と、フレームと、を備え、誘導体と共に回転する指針によって所定の計測量（車速等）を報知するものであり、さらに、磁石の回転を検出するリードスイッチを保持するホルダーがフレームに取り付けられ、これにより磁石の下側に位置するリードスイッチにより、回転軸の回転を検出する機能を有するものである。
【０００３】
特許文献１に係る渦電流式計器装置では、ホルダーは、その両端部がビスによってフレームに固定されることで、フレームに取り付けられている（同文献の図３、図４等参照）。
【先行技術文献】
【特許文献】
【０００４】
【特許文献１】特開２０００−１６２２２５号公報
【発明の概要】
【発明が解決しようとする課題】
【０００５】
特許文献１に係るホルダーのフレームへの固定構造では、ホルダーの両端部をフレームにビスによって固定するために、ホルダーの寸法精度が出ていないと、ビス締め時にホルダーに撓みが生じてしまう。リードスイッチ（回転検出部）を保持する保持体であるホルダーに撓みが生じると、リードスイッチの磁石に対する配置位置にばらつきが生じるため、検出精度の低下に繋がり、好ましくない。
【０００６】
本発明は、上記実情に鑑みてなされたものであり、回転検出部を保持する保持体に撓みが生じることを低減可能な構成の渦電流式計器装置を提供することを目的とする。
【課題を解決するための手段】
【０００７】
上記目的を達成するため、本発明に係る渦電流式計器装置は、
第１の軸線を中心に回転する磁石と、
前記磁石の上側に位置し、前記磁石の回転により発生する渦電流作用によって回転する誘導体と、
前記磁石と前記誘導体とを収納する枠体と、を備え、
前記誘導体と共に回転する指針と、前記指針に指示される指標との対比によって所定の計測量を報知する渦電流式計器装置であって、
前記磁石の下側に位置し、回転する前記磁石からの磁気作用に基づいて、前記磁石の回転を検出する回転検出部と、
前記枠体に取り付けられ、前記回転検出部を保持する保持体と、を備え、
前記枠体は、所定の間隔を空けて互いの主面が向かい合い、共に前記第１の軸線の方向に延びる第１壁部及び第２壁部を有し、前記第１壁部と前記第２壁部との間に、前記磁石と前記誘導体とを収納し、
前記保持体は、前記所定の間隔の方向に延びる第２の軸線に沿って延びており、前記第２の軸線方向における一端部には、前記第１壁部に固定される部分である固定部が形成され、前記第２の軸線方向における他端部には、前記第２壁部に係合する部分である係合部が形成され、
前記係合部が前記第２壁部と係合し、且つ、前記固定部が前記第１壁部にねじで螺着され固定されていることによって、前記保持体は、前記枠体に取り付けられており、
前記係合部と前記第２壁部とは、前記係合部が突起部であり、この突起部が挿入される孔部が前記第２壁部に設けられていることにより係合している、又は、前記係合部が孔部であり、この孔部に挿入される突起部が前記第２壁部に設けられていることにより係合している、
ことを特徴とする。
【発明の効果】
【０００８】
本発明によれば、回転検出部を保持する保持体に撓みが生じることを低減できる。
【図面の簡単な説明】
【０００９】
【図１】本発明の一実施形態に係る渦電流式計器装置の分解斜視図である。
【図２】図１に示す渦電流式計器装置のＡ−Ａ線概略断面図である。
【図３】（ａ）及び（ｂ）は、渦電流式計器装置の側面図である。
【図４】回転検出装置の平面図である。
【図５】主に磁石と回転検出部との関係を説明するための平面図である。
【図６】保持体の側面図であり、主に被支持部を説明するための図である。
【図７】変形例に係る渦電流式計器装置の分解斜視図である。
【発明を実施するための形態】
【００１０】
本発明の一実施形態に係る渦電流式計器装置を、図面を参照して説明する。
【００１１】
本実施形態に係る渦電流式計器装置は、自動車、オートバイ等の車両に搭載され、例えば、速度計として適用されるものである。
図１に示すように、渦電流式計器装置１は、計器本体１０と、回転検出装置２０と、を備える。
【００１２】
なお、以下では、渦電流式計器装置１の構成の理解を容易にするために、図１等に示す、各々直交するＸ、Ｙ、及びＺ軸を用いて、適宜、各部を説明する。Ｚ軸は、後述する磁石１３の回転軸と平行な軸であり、Ｘ軸は、後述する第１壁部１１１と第２壁部１１２との間隔方向と平行な軸であり、Ｙ軸は、Ｘ軸及びＺ軸と直交する軸である。また、Ｘ、Ｙ、及びＺ軸の各軸を示す矢印の向く方向を、各々の軸の＋（プラス）方向とし、その反対方向を−（マイナス）方向とする。
【００１３】
計器本体１０は、図１〜図３（ａ）、（ｂ）に示すように、枠体１１と、回転軸１２と、磁石１３と、カップ体１４と、導磁体１５と、プレート１６と、指針軸１７と、誘導体１８と、ヒゲバネ１９と、を備える。
【００１４】
枠体１１は、鋼等の合金からなり、底部１１０と、底部１１０の一端（−Ｘ方向側の端）から上方（＋Ｚ方向）に立設する第１壁部１１１と、底部１１０の他端（＋Ｘ方向側の端）から上方に立設する第２壁部１１２と、から一体的に形成されている。第１壁部１１１と第２壁部１１２とは、所定の間隔を空けて互いの主面が向かい合い、共に後述する第１の軸線Ａ１（図２参照）の方向に延びている。枠体１１は、第１壁部１１１と第２壁部１１２との間に、磁石１３、カップ体１４、導磁体１５、誘導体１８等を収納する。図１に示すように、枠体１１をＹ方向から見た場合、底部１１０と第１壁部１１１と第２壁部１１２とは、略コの字形状をなす。図２に示すように、底部１１０には、回転軸１２を回転可能に支持する軸受部材１１０ａが設けられている。底部１１０は、第１壁部１１１と第２壁部１１２とを連結し、磁石１３の下側に位置する。
【００１５】
回転軸１２は、枠体１１の底部１１０から上側に延びている。回転軸１２は、計測対象の外部回転部（例えば、渦電流式計器装置１が搭載される車両の車輪）の回転に基づいて回転する。回転軸１２は、Ｚ軸と平行な第１の軸線Ａ１（図２参照）周りに回転する。外部回転部の回転は、図示しないフレキシブルケーブルを介して、回転軸１２に伝達される。
【００１６】
磁石１３は、円板形状をなし、回転軸１２の上端部に固着され、回転軸１２の回転に伴って回転する。磁石１３には、外周に沿うようにＳ極とＮ極とが交互に着磁されており、磁極は、例えば、４極の磁極を有する。
【００１７】
カップ体１４は、アルミ等の非磁性体からなり、上側開口のカップ形状をなしている。カップ体１４は、磁石１３の外周部を囲むように配設されている。カップ体１４は、回転軸１２の上端部に固着され、回転軸１２の回転に伴って回転する。カップ体１４の側周面内側には、導磁体１５が位置する。
【００１８】
導磁体１５は、鉄等の磁性体からなり、円筒形状をなしている。導磁体１５は、カップ体１４に、例えば、固着されている。これにより、導磁体１５は、回転軸１２の回転に伴って、カップ体１４と共に回転する。
【００１９】
プレート１６は、枠体１１の第１壁部１１１及び第２壁部１１２の上端を橋絡する板状の部材である。このプレート１６上には、後述する指針３０の指示対象となる目盛、数値等からなる指標が形成された文字板４０が取り付けられる（図２参照）。
【００２０】
指針軸１７は、回転軸１２の上側に位置し、第１の軸線Ａ１に沿って延びている。指針軸１７は、図２に示すように、その下側が回転軸１２の上端部に設けられた下側軸受１２ａに支持され、その上側がプレート１６の中央部に設けられた上側軸受１６ａに支持されることで、回転可能に支持されている。指針軸１７の上端には、指針３０（図２参照）が取り付けられる。指針３０は、文字板４０上に位置し、指針軸１７の回転に伴って回転する。
【００２１】
誘導体１８は、銅、アルミ等の金属からなり、下側開口のカップ形状をなしている。誘導体１８は、磁石１３を上側から覆っており、磁石１３の回転により発生する渦電流作用によって回転する。誘導体１８の中心部には、指針軸１７が圧入固定されており、これにより、指針軸１７は、誘導体１８の回転に伴って回転し、指針３０が文字板４０上を回転する。
【００２２】
ヒゲバネ１９は、指針軸１７の回転を制御するために設けられるものである。図２に示すように、ヒゲバネ１９の内側は、指針軸１７に固定され、その外側は、プレート１６の下面に、図示しないアーム部材を介して、固定されている。
【００２３】
以上の構成からなる計器本体１０では、車輪等の外部回転部の回転が、図示しないフレキシブルケーブルを介して、回転軸１２に伝達されることによって、回転軸１２とともに磁石１３及び導磁体１５が回転し、磁石１３が回転することによって発生する渦電流作用を導磁体１５によって効率的に誘導体１８に導き、磁石１３の回転に比例した回転トルクが誘導体１８へと作用し、この誘導体１８の回転トルクをヒゲバネ１９の弾性力と均衡させることで回転軸１２の回転数に応じて指針軸１７を回転させ、指針軸１７に取り付けられた指針３０が、文字板４０に形成された指標を指示する。そして、指針３０と指標とを対比判読させることで、計器本体１０は、車速等の計測値を報知する。
【００２４】
回転検出装置２０は、上記のようにして回転する磁石１３の回転を検出するものであり（つまり、回転軸１２の回転を検出する）、図１〜図６に示すように、リードスイッチ２１（回転検出部の一例）と、保持体２２と、第１端子２３と、第２端子２４と、を有する。
【００２５】
リードスイッチ２１は、図２、図５に示すように、磁石１３の下側（−Ｚ方向側）に配置され、磁石１３の磁極変化を検出するものであり、管部２１０と、強磁性体からなる棒状のリード２１１，２１２と、を有する。
【００２６】
管部２１０は、例えば、ガラス管からなり、その内部には、リード２１１とリード２１２との接点部分（図示しない自由端部分）が所定の間隔で相対し、封入されている。また、管部２１０の内部には、リード２１１，２１２の接点の活性化を防ぐために窒素ガスが封入されている。
【００２７】
リード２１１，２１２は、図４等に示すように、各々、管部２１０の両端からＸ方向に延び、途中で−Ｙ方向に向かって折り曲げ形成されている（つまり、Ｚ方向から見てＬ字状になる）。
【００２８】
リードスイッチ２１に、リード２１１，２１２の軸方向の磁界が加わると、リード２１１，２１２が磁化され、相対した自由端が互いに接触して回路が閉じる。一方、軸方向の磁界が消えると、自由端の弾性により回路が開く。このようにしてリードスイッチ２１は、磁石１３の回転数（つまり、回転軸１２の回転数）に比例した、リードスイッチ２１の開閉回数に基づき、出力するパルス信号のパルス数を変化させる。
このパルス信号を取得した所定の外部装置（図示せず）は、例えば、速度を検出して速度警報装置を作動させたり、パルス信号をカウントして走行距離に換算したり、パルス信号の有無に基づいて車両のドアのロックを作動させたり、内燃機関への燃料噴出量を制御したりする。
【００２９】
保持体２２は、リードスイッチ２１を保持するものであり、ＡＢＳ樹脂等の樹脂材料からなり、絶縁性を有する。保持体２２は、第１壁部１１１と第２壁部１１２との間隔の方向に延びる第２の軸線Ａ２（Ｘ軸と平行な軸線。図２参照）に沿って延びている。
【００３０】
保持体２２は、Ｙ方向から見て、Ｘ方向に延びる長方形状をなしている板部２２０と、保持体２２の第２の軸線Ａ２方向における一端部（−Ｘ方向側の端部）に位置する固定部２２１と、保持体２２の第２の軸線Ａ２方向における他端部（＋Ｘ方向側の端部）に位置する係合部２２２と、を有する。板部２２０と固定部２２１と係合部２２２とは、図４に示すように、Ｚ方向から見て、略コの字形状をなしている。また、保持体２２は、図４、図５等に示すように、板部２２０の−Ｚ方向側の端部から、＋Ｙ方向に突出する略板状の部分である、保持部２２３を有する。
保持体２２は、板部２２０、固定部２２１、係合部２２２、及び保持部２２３から一体的に形成されている。
【００３１】
保持部２２３は、例えば、その＋Ｙ方向側の端部に形成された凹み部分で、リードスイッチ２１の管部２１０を保持する。このように管部２１０が保持されたリードスイッチ２１のリード２１１，２１２の−Ｙ方向に延びる部分は、図４、図５に示すように、板部２２０を貫通している。
【００３２】
固定部２２１は、図１、図５に示すねじ２５（ビス）によって、枠体１１の第１壁部１１１に固定される部分であり、板部２２０の−Ｘ方向側の端部から、＋Ｙ方向に突出し、第１壁部１１１の主面と平行な面を有する板状の部分である。固定部２２１には、ねじ２５を通す貫通孔２２１ａが形成されている。
【００３３】
係合部２２２は、第２壁部１１２に形成された孔部１１２ａ（図１等参照）に挿入されることで、この孔部１１２ａと係合する部分である。係合部２２２は、板部２２０の＋Ｘ方向側の端部から、＋Ｙ方向に突出し、第２壁部１１２の主面と平行な面を有する板状部２２２ａから、＋Ｘ方向に突出する突起部（ボス体）として形成されている。
【００３４】
枠体１１の第１壁部１１１には、ねじ２５と嵌合する嵌合孔部１１１ａが設けられており、第２壁部１１２には、前述のように、係合部２２２が挿入される孔部１１２ａが設けられている。この孔部１１２ａは、例えば、第２壁部１１２をＸ方向に貫く貫通孔からなる。
【００３５】
保持体２２は、突起部からなる係合部２２２を枠体１１の内側から（第２壁部１１２の−Ｘ方向に向く面側から）孔部１１２ａに挿入し、その後、固定部２２１を枠体１１の外側に（第１壁部１１１の−Ｘ方向に向く面側に）配置し、この固定部２２１に形成された貫通孔２２１ａを通して、ねじ２５を第１壁部１１１の嵌合孔部１１１ａに嵌め合わせる（つまり、第１壁部１１１に螺着する）ことにより、枠体１１に取り付けられる。なお、ねじ２５と固定部２２１との間には、両者によって、第１端子２３が挟持されている。
このように保持体２２が取り付けられると、その保持部２２３に保持されたリードスイッチ２１の管部２１０は、図５に示すように、磁石１３の下側（カップ体１４の−Ｚ方向側）に位置する（図５では、管部２１０を点線で表した）。
【００３６】
図６に示すように、保持部２２３の下面側（−Ｚ方向に向く面側）には、保持体２２が枠体１１に取り付けられた状態において、枠体１１の底部１１０の上面（＋Ｚ方向に向く面）に接触し、支持される部分である被支持部２２３ａが設けられている。被支持部２２３ａの−Ｙ方向側端部には、枠体１１の底部１１０の−Ｙ方向側端部の形状に対応した段部２２３ｂが設けられている。
【００３７】
第１端子２３は、ねじ２５と固定部２２１との間に介在する、板状の金属であり、図１、図４に示すように、Ｚ方向側から見て、Ｌ字形状をなすように折り曲げ形成されている。Ｚ方向から見て、第１端子２３のＹ方向に延びる部分には、ねじ２５を挿通させる孔２３ａが設けられている。第１端子２３のＸ方向に延びる部分は、保持体２２の板部２２０の−Ｘ方向側から板部２２０の一部を貫通し、板部２２０の−Ｙ方向側で、リード２１１と接続されている（例えば、半田により電気的に接続されている）。
【００３８】
第２端子２４は、板部２２０の＋Ｘ方向側の側部に位置する、板状の金属であり、Ｚ方向側から見て、略Ｌ字形状をなすように折り曲げ形成されている。第２端子２４のＸ方向に延びる部分は、保持体２２の板部２２０の＋Ｘ方向側から板部２２０の一部を貫通し、板部２２０の−Ｙ方向側で、リード２１２と接続されている（例えば、半田により電気的に接続されている）。
【００３９】
第１端子２３は、ねじ２５によって、保持体２２の固定部２２１と共に、枠体１１の第１壁部１１１に固定され、ボディーアースされる。一方、第２端子２４は、リード２１２を介して、リードスイッチ２１からの検出信号（前記のパルス信号）を外部に出力するための端子として機能する。第２端子２４には、保持体２２の板部２２０の上側の＋Ｘ方向側の端部を覆うように折り曲げ形成された接続部２４ａが設けられており、この接続部２４ａと所定の外部装置（図示せず）とが電気的に接続されることにより、外部装置に検出信号を出力できるようになっている。
【００４０】
以上の構成からなる渦電流式計器装置１では、保持体２２は、突起部からなる係合部２２２が枠体１１の内側から第２壁部１１２の孔部１１２ａに挿入され、固定部２２１が枠体１１の外側から、第１壁部１１１にねじ２５が螺着されることにより、固定されている。
ここで、例えば、特許文献１に係る構造では、ホルダーの寸法精度が出ておらず、ホルダーの両端部間の長さが、フレームの幅（第１壁部１１１の外面と第２壁部１１２外面との長さ）よりも、大きくなってしまった場合、両端からビスで、ホルダーをフレームに固定すると、ホルダーが撓んでしまう。そして、リードスイッチと磁石との高さ方向（Ｚ方向）の配設位置が所望の位置からずれてしまうと、良好な検出精度が得られない場合があった。
一方、本実施形態では、上記のように、保持体２２の一方側（係合部２２２側）をある程度フリーな状態で、第２壁部１１２に支持させて、他方側のみ（固定部２２１側のみ）、ねじ２５で第１壁部１１１に固定するため、保持体２２に撓みが生じることを低減することができる。
【００４１】
なお、保持体２２における固定部２２１の＋Ｘ方向に向く面と、係合部２２２が形成される板状部２２２ａの＋Ｘ方向に向く面との間の距離（Ｘ方向における距離）は、第１壁部１１１の−Ｘ方向に向く面と、第２壁部１１２の−Ｘ方向に向く面との間の距離（Ｘ方向における距離）よりも、若干、小さいほうが望ましい。このようにすれば、ねじ２５を−Ｘ方向側から第１壁部１１１に螺着することで、保持体２２が＋Ｘ方向に変位したとしても、係合部２２２が形成された板状部２２２ａが、第２壁部１１２の−Ｘ方向に向く面と過度に接触し、第２壁部１１２からの反作用の力によって、保持体２２が撓むことを防ぐことができる。このため、回転検出装置２０の検出精度を良好に保つことができる。
また、ねじ２５の中心軸（Ｘ軸と平行な軸）と、突起部（ボス体）からなる係合部２２２の中心軸（Ｘ軸と平行な軸）とは、一致していないほうが、好ましい。このようにすれば、組み付け後の保持体２２がＸ軸周りに回転することを防ぐことができ、リードスイッチ２１と磁石１３との高さ方向の配設位置が所望の位置からずれることをさらに低減することができる。
【００４２】
また、保持体２２は、枠体１１の底部１１０の上面に支持される被支持部２２３ａを有していることから、組み付け時に、保持体２２が、Ｚ方向にずれてしまうことが抑制できる。これによっても、リードスイッチ２１と磁石１３との高さ方向の配設位置が所望の位置からずれることを抑制でき、回転検出装置２０の検出精度を良好に保つことができる。
【００４３】
なお、本発明は以上の実施形態及び図面によって限定されるものではない。本発明の要旨を変更しない範囲で、適宜、変更（構成要素の削除も含む）を加えることが可能である。以下に変形例の一例を示す。
【００４４】
（変形例）
以上の実施形態に係る保持体２２では、ボス体からなる係合部２２２が、板状部２２２ａから＋Ｘ方向に突出し、板状部２２２ａが、枠体１１の内側から（つまり、第２壁部１１２の−Ｘ方向側から）、第２壁部１１２に近接（当接も含む）する例を示したがこれに限られない。
図７に示すように、保持体２２の＋Ｘ方向側の端部に位置する板状部２２２ａが、枠体１１の外側（つまり、第２壁部１１２の＋Ｘ方向側）に位置し、このような板状部２２２ａから−Ｘ方向側に突起する爪部（突起部の一例）からなる係合部３２２を設けてもよい。この場合、枠体１１の第２壁部１１２に、爪部からなる係合部３２２と係合する孔部３１２ａを形成すればよい。孔部３１２ａは、貫通孔であっても有底孔であってもよい。また、この場合、保持体２２における固定部２２１の＋Ｘ方向に向く面と、係合部３２２が形成される板状部２２２ａの−Ｘ方向に向く面との間の距離（Ｘ方向における距離）は、第１壁部１１１の−Ｘ方向に向く面と、第２壁部１１２の＋Ｘ方向に向く面との間の距離（Ｘ方向における距離）よりも、若干、大きいほうが望ましい。このようにすれば、ねじ２５を−Ｘ方向側から第１壁部１１１に螺着しても、Ｘ方向側にある程度の遊びがあるため、保持体２２が撓むことを防ぐことができ、且つ、Ｚ方向の配設位置のずれも生じにくい。
【００４５】
以上の説明では、係合部２２２，３２２が突起部であり、この突起部が挿入される孔部１１２ａ，３１２ａが第２壁部１１２に設けられていることにより、係合部２２２，３２２と第２壁部１１２とが係合している例を示したがこれに限られない。
これとは、凹凸の関係が逆である、つまり、係合部が孔部であり、この孔部に挿入される突起部が第２壁部１１２に設けられていることにより両者が係合していてもよい。
【００４６】
以上の説明では、本発明の理解を容易にするために、重要でない公知の技術的事項の説明を適宜省略した。
【符号の説明】
【００４７】
１  渦電流式計器装置
１０  計器本体
１１  枠体
１１０  底部
１１１  第１壁部
１１１ａ  嵌合孔部
１１２  第２壁部
１１２ａ，３１２ａ  孔部
１２  回転軸
１３  磁石
１４  カップ体
１５  導磁体
１６  プレート
１７  指針軸
１８  誘導体
１９  ヒゲバネ
２０  回転検出装置
２１  リードスイッチ
２２  保持体
２２１  固定部
２２１ａ  貫通孔
２２２，３２２  係合部
２２３  保持部
２２３ａ  被支持部
２３  第１端子
２３ａ  孔
２４  第２端子
２５  ねじ
３０  指針
４０  文字板
Ａ１  第１の軸線
Ａ２  第２の軸線
【図１】
2014025883.tif 000003
【図２】
2014025883.tif 000004
【図３】
2014025883.tif 000005
【図４】
2014025883.tif 000006
【図５】
2014025883.tif 000007
【図６】
2014025883.tif 000008
【図７】
2014025883.tif 000009